(57)【要約】      （修正有）【課題】施工時の作業性を向上させると共に、軟弱地盤上にも容易に設置可能なＬ型擁壁およびＬ型擁壁ユニットを提供する。【解決手段】本Ｌ型擁壁１は、垂直方向に設置される縦壁１１と、縦壁１１の下端部を基端として横方向に延設される底板１２とからなるＬ型擁壁であって、底板１２の上面１２ａは、縦壁１１に対して鈍角をなすように傾斜して形成され、底板１２の下面１２ｂは、複数の水平面１２ｂ１、１２ｂ２を上面１２ａに沿って高さを変えて配置した階段状に形成される。【選択図】図１
0003159235.tif 000002
【実用新案登録請求の範囲】
【請求項１】
垂直方向に設置される縦壁と、
前記縦壁の下端部を基端として横方向に延設される底板と、からなるＬ型擁壁であって、
前記底板の上面は、前記縦壁に対して鈍角をなすように傾斜して形成され、
前記底板の下面は、複数の水平面を前記上面に沿って高さを変えて配置した階段状に形成されることを特徴とする、
Ｌ型擁壁。
【請求項２】
前記底板の上面は、前記縦壁に対して９５乃至１１５度の角度をなすように形成されることを特徴とする、
請求項１に記載のＬ型擁壁。
【請求項３】
前記底板の下面は、前記底板の前記基端側に設けられる第１水平面と、前記底板の先端側において前記第１水平面よりも低い位置に設けられる第２水平面と、を有して構成されることを特徴とする、
請求項１または２に記載のＬ型擁壁。
【請求項４】
前記底板の下面は、前記縦壁に対して鈍角をなすように傾斜して形成された取付面に略楔形状の固定部材を固定することにより、階段状に形成されることを特徴とする、
請求項１乃至３のいずれかに記載のＬ型擁壁。
【請求項５】
請求項１乃至４のいずれかに記載のＬ型擁壁と、
前記Ｌ型擁壁が有する前記底板の下面形状に合わせて地盤側に敷設される複数の土嚢からなる基礎部と、を有することを特徴とする、
Ｌ型擁壁ユニット。
【請求項６】
前記基礎部は、前記底板の複数の前記水平面の間の段部に一部の前記土嚢の側面が対向するように階段状に構成されることを特徴とする、
請求項５に記載のＬ型擁壁ユニット。
【請求項７】
前記土嚢は、前記底板の先端近傍において前記底板の上面よりも高い位置まで積み重ねられることを特徴とする、
請求項５または６に記載のＬ型擁壁ユニット。
【請求項８】
前記土嚢は、直方体状の土嚢袋と、前記土嚢袋の内部に収容される矩形状のガイド枠と、隣接する前記ガイド枠同士を接続する接続部材と、を備え、
前記基礎部は、隣接する前記土嚢同士が前記接続部材により互いに接続された状態で格子状に配列された複数の前記土嚢を、複数段積み重ねて構成されることを特徴とする、
請求項５乃至７のいずれかに記載のＬ型擁壁ユニット。
【考案の詳細な説明】
【技術分野】
【０００１】
本考案は、土地造成等において土留めとして使用されるＬ型擁壁およびＬ型擁壁ユニットに関する。
【背景技術】
【０００２】
従来、宅地や道路等の土地造成工事においては、垂直方向に設置される縦壁と、この縦壁の下端部を基端として横方向に延設される底板とからなるＬ型擁壁が使用されている。このＬ型擁壁は、一般的にプレキャスト鉄筋コンクリート構造となっており、地盤上に構築した基礎の上に予め製造されたＬ型擁壁を設置することで使用される。
【０００３】
このようなＬ型擁壁には、縦壁と底板が直交するように形成されたもの（直角Ｌ型擁壁）と、縦壁と底板が１０５度程度の鈍角をなすように形成されたもの（鈍角Ｌ型擁壁）とがある。このうち、鈍角Ｌ型擁壁は、底板反力の水平方向分力を滑動（水平方向の滑り）に対する抵抗力として活用することができる等、安定性および強度の面で直角Ｌ型擁壁よりも優れていることが知られている（例えば、特許文献１参照）。すなわち、鈍角Ｌ型擁壁は、直角Ｌ型擁壁に比べ、滑動や転倒に対する安定性を高めながらも軽量化することが可能となっている。また、縦壁側の根入れ深さを浅くすることができるため、必要掘削量を低減することが可能となっている。
【先行技術文献】
【特許文献】
【０００４】
【特許文献１】実登３０２２０７２号公報
【考案の概要】
【考案が解決しようとする課題】
【０００５】
しかしながら、従来の鈍角Ｌ型擁壁は、底板の下面が斜めになっているため、斜面を有する特殊な形状に基礎を構築する必要があると共に、縦壁を正確に垂直にした状態で設置するのが困難であるという問題があった。また、基礎が特殊な形状であることから、隣接するＬ型擁壁間での高さ合わせや面合わせが困難であり、必ずしも作業性が良いものとはいえなかった。
【０００６】
また、従来のＬ型擁壁は、地盤が軟弱である場合には、直角Ｌ型擁壁、鈍角Ｌ型擁壁に関わらず大規模な基礎工事が必要であり、施行に要するコストおよび時間が膨大なものとなるという問題があった。
【０００７】
本考案は、斯かる実情に鑑み、施工時の作業性を向上させると共に、軟弱地盤上にも容易に設置可能なＬ型擁壁およびＬ型擁壁ユニットを提供しようとするものである。
【課題を解決するための手段】
【０００８】
（１）本考案は、垂直方向に設置される縦壁と、前記縦壁の下端部を基端として横方向に延設される底板と、からなるＬ型擁壁であって、前記底板の上面は、前記縦壁に対して鈍角をなすように傾斜して形成され、前記底板の下面は、複数の水平面を前記上面に沿って高さを変えて配置した階段状に形成されることを特徴とする、Ｌ型擁壁である。
【０００９】
（２）本考案はまた、前記底板の上面は、前記縦壁に対して９５乃至１１５度の角度をなすように形成されることを特徴とする、上記（１）に記載のＬ型擁壁である。
【００１０】
（３）本考案はまた、前記底板の下面は、前記底板の前記基端側に設けられる第１水平面と、前記底板の先端側において前記第１水平面よりも低い位置に設けられる第２水平面と、を有して構成されることを特徴とする、上記（１）または（２）に記載のＬ型擁壁である。
【００１１】
（４）本考案はまた、前記底板の下面は、前記縦壁に対して鈍角をなすように傾斜して形成された取付面に略楔形状の固定部材を固定することにより、階段状に形成されることを特徴とする、上記（１）乃至（３）のいずれかに記載のＬ型擁壁である。
【００１２】
（５）本考案はまた、上記（１）乃至（４）のいずれかに記載のＬ型擁壁と、前記Ｌ型擁壁が有する前記底板の下面形状に合わせて地盤側に敷設される複数の土嚢からなる基礎部と、を有することを特徴とする、Ｌ型擁壁ユニットである。
【００１３】
（６）本考案はまた、前記基礎部は、前記底板の複数の前記水平面の間の段部に一部の前記土嚢の側面が対向するように階段状に構成されることを特徴とする、上記（５）に記載のＬ型擁壁ユニットである。
【００１４】
（７）本考案はまた、前記土嚢は、前記底板の先端近傍において前記底板の上面よりも高い位置まで積み重ねられることを特徴とする、上記（５）または（６）に記載のＬ型擁壁ユニットである。
【００１５】
（８）本考案はまた、前記土嚢は、直方体状の土嚢袋と、前記土嚢袋の内部に収容される矩形状のガイド枠と、隣接する前記ガイド枠同士を接続する接続部材と、を備え、前記基礎部は、隣接する前記土嚢同士が前記接続部材により互いに接続された状態で格子状に配列された複数の前記土嚢を、複数段積み重ねて構成されることを特徴とする、上記（５）乃至（７）のいずれかに記載のＬ型擁壁ユニットである。
【考案の効果】
【００１６】
本考案に係るＬ型擁壁およびＬ型擁壁ユニットによれば、施工時の作業性を向上させると共に、軟弱地盤上にも容易に設置可能という優れた効果を奏し得る。
【図面の簡単な説明】
【００１７】
【図１】（ａ）本発明の実施形態のＬ型擁壁の斜視図である。（ｂ）Ｌ型擁壁の側面図である。
【図２】本発明の実施形態のＬ型擁壁ユニットを示した斜視図である。
【図３】基礎部を構成する土嚢を示した図である。
【図４】Ｌ型擁壁ユニットを土留めとして設置した状態の一例を示した図である。
【図５】Ｌ型擁壁ユニットをより安定的に構成した例を示した図である。
【図６】別部材を固定することによりＬ型擁壁を構成するようにした例を示した図である。
【考案を実施するための形態】
【００１８】
以下、本考案の実施の形態を添付図面を参照して説明する。
【００１９】
図１（ａ）は、本実施形態のＬ型擁壁１の斜視図であり、同図（ｂ）は、Ｌ型擁壁１の側面図である。Ｌ型擁壁１は、プレキャスト鉄筋コンクリート構造であり、これらの図に示されるように、垂直方向に延設された縦壁１１と、縦壁１１の下端部を基端として横方向に延設された底板１２とから構成されている。
【００２０】
縦壁１１は、Ｌ型擁壁１が土留めとして使用される場合に、垂直方向に設置される部分である。本実施形態では、底板１２の反対側の面が外部に露出する正面１１ａであり、正面１１ａは滑らかな平面または適宜の装飾が施された面となっている。縦壁１１の背面１１ｂには、図示は省略するが、必要に応じて補強リブや隣接するＬ型擁壁１同士を連結するための連結部等が適宜に設けられる。また、縦壁１１には、正面１１ａおよび背面１１ｂの間を貫通する排水孔が、必要に応じて適宜の位置に設けられる。
【００２１】
底板１２は、縦壁１１の下端部の背面１１ｂ側から略水平方向に延設されている。底板１２の上面１２ａは、縦壁に対して角度θをなすように形成されている。この角度θは、特に限定されるものではなく、底板１２上に埋め戻す土粒子の内部摩擦角に応じて適宜に設定することができる。但し、一般的な土壌を使用し、底板１２の上面１２ａ上に設置（覆土）する場合を考慮すると、角度θは、９５乃至１１５度の範囲内に設定することが好ましく、１００乃至１１０度の範囲内に設定することがより好ましい。
【００２２】
底板１２の下面１２ｂは、底板１２の基端側に設けられる第１水平面１２ｂ１と、底板１２の先端側に設けられる第２水平面１２ｂ２と、第１水平面１２ｂ１および第２水平面１２ｂ２の間の段部１２ｂ３とを有して構成されており、上面１２ｂに沿った階段状となっている。具体的には、第１水平面１２ｂ１および第２水平面１２ｂ２は、縦壁に対して略直交するように、すなわち設置時に略水平方向となるように形成され、第２水平面１２ｂ２は、第１水平面１２ｂ１よりも低い位置に設けられている。段部１２ｂ３は、本実施形態では縦壁１１と略平行、すなわち略垂直方向に形成しているが、これに限定されるものではなく、斜めに形成するようにしてもよい。
【００２３】
底板１２の上面１２ａには、必要に応じて補強リブや連結部等が設けられる。また、底板１２には、Ｌ型擁壁１を基礎上に設置した後に、下面１２ｂ下側にモルタル等を注入するための孔を設けるようにしてもよい。
【００２４】
本実施形態では、底板１２の上面１２ａを傾斜させることにより、従来の鈍角Ｌ型擁壁と同様の効果を発揮できるようにしている。また、設置時に略水平となる第１水平面１２ｂ１および第２水平面１２ｂ２を底板１２の下面１２ｂに設けることにより、基礎の構築を容易にすると共に、隣接して設置される複数のＬ型擁壁１の高さ合わせや面合わせを容易にし、据付工事の作業性を向上させている。また、段部１２ｂ３を設けることにより、滑動に対する抵抗力を土中の深い部分で発生させ、滑動に対する安定性を向上させている。
【００２５】
図２は、Ｌ型擁壁ユニット２を示した斜視図である。同図に示されるように、Ｌ型擁壁ユニット２は、Ｌ型擁壁１と、地盤側に敷設されてＬ型擁壁１が上部に載置される基礎を構成する基礎部３とを有している。基礎部３は、複数の直方体状の土嚢３０を格子状に配列すると共に複数段積み重ねることで、Ｌ型擁壁１の底板１２の下面１２ｂに合わせた階段状に構成されている。
【００２６】
図３は、基礎部３を構成する土嚢３０を示した図である。同図に示されるように、土嚢３０は、直方体状の土嚢袋３１と、土嚢袋３１の内部に収容される矩形状のガイド枠３２と、隣接するガイド枠３２同士を接続する接続部材３３とを備えている。
【００２７】
ガイド枠３２は、土嚢袋３１の底に置いて複数の土嚢を整列させるためのガイドの働きをするものであり、互いに結合されて矩形状の枠を構成する４つの板状リブ３２ａと、対向する板状リブ３２ａ同士を繋いでガイド枠３２の形状を維持する梁３２ｂとから構成されている。ガイド枠３２は、図示を省略した固定片を土嚢袋３１の外側から土嚢袋３１を貫通してガイド枠３２に結合させることにより土嚢袋３１に固定される。
【００２８】
接続部材３３は、両端に爪３３ａを備え、爪３３ａをガイド枠３２に係合させることで、隣接するガイド枠３２同士を接続する。これにより、格子状に配列された複数の土嚢３０は、隣接する土嚢３０同士が互いに接続された状態となる。接続部材３３は、このように隣接する土嚢３０同士を接続することにより、複数の土嚢３０を一体化して強度を向上させる。また、接続部材３３は、土嚢３０を配列する際に、各土嚢３０間に適切な隙間を確保するという機能を有している。
【００２９】
なお、本実施形態の土嚢３０は、本考案の考案者の一部による特許発明であり、その詳細については、特許第４０１９１００号公報を参照されたい。
【００３０】
図４は、Ｌ型擁壁ユニット２を土留めとして設置した状態の一例を示した図である。Ｌ型擁壁ユニット２を設置する場合、まず地盤４０上に複数の土嚢３０を配列して積み重ねることにより、基礎部３を構成する。このとき、同図に示すように土嚢３０を垂直方向に一列となるように積み重ねてもよいし、土嚢３０の位置をずらして千鳥状に積み重ねるようにしてもよい。土嚢３０を積み重ねる段数は、地盤４０の状態に応じて適宜に設定すればよい。また、地盤４０によっては、Ｌ型擁壁１の直下にのみ土嚢３０を配置するようにしてもよく、この場合は掘削量を削減すると共に作業工数を削減することができる。
【００３１】
基礎部３の上部には、Ｌ型擁壁１の底板１２の下面１２ｂ（すなわち、第１水平面１２ｂ１、第２水平面１２ｂ２および段部１２ｂ３）の形状に合わせた段差３４を形成する。この段差３４は、同図に示すように１段の土嚢３０で形成してもよいし、Ｌ型擁壁１に対して土嚢３０のサイズが小さい場合には、複数段の土嚢３０で形成してもよい。
【００３２】
次に、基礎部３上部の段差３４の形状に合わせてＬ型擁壁１を基礎部３の上に載置する。具体的には、基礎部３の段差３４部分の土嚢３０の側面３０ａにＬ型擁壁１の底部１２の段部１２ｂ３を対向させた状態で、Ｌ型擁壁１を載置する。このとき、必要に応じてＬ型擁壁１の下面１２ｂと基礎部３の土嚢３０との間にモルタルや砂利等を充填する。また、隣接するＬ型擁壁１の間で高さ合わせや面合わせを行う場合は、第１水平面１２ｂ１または第２水平面１２ｂ２と基礎部３との間にスペーサ等を適宜挿入する。最後に、Ｌ型擁壁１の縦壁１１の背面１１ｂ側に背面土４１を覆土し、正面１１ａ側に正面土４２を覆土する。
【００３３】
本実施形態のＬ型擁壁ユニット２では、複数の土嚢３０から基礎部３を構成しているため、地盤４０の状態によらず、容易に基礎部３を構築することが可能となっている。特に、本実施形態では、土嚢３０がガイド枠３２および接続部材３３を備えているため、地盤４０が軟弱であっても適切な間隔で土嚢３０を連結して迅速に配列することが可能であり、さらにこの結果、十分な強度を有する基礎部３を軟弱な地盤４０上に構築することができるようになっている。
【００３４】
また、本実施形態のＬ型擁壁１では、底板１２の下面１２ｂを階段状に構成しているため、従来の鈍角Ｌ型擁壁とは異なり、複数の土嚢３０から構成される基礎部３０上にも容易に設置可能となっている。また、縦壁１１の正面１１ａ下部が正面土４２から受ける力Ｆ１と共に、段部１２ｂ３が対向する土嚢３０の側面３０ａから受ける力Ｆ２を滑動に対する抵抗力として安定的に発揮させることができる。すなわち、正面土４２の表面から深い位置であり、且つ縦壁１１から背面１１ｂ側に離れた位置に段部１２ｂ３を設けることにより、雨水等により正面土４２の状態が変化したような場合であっても、少なくとも力Ｆ２を滑動に対する抵抗力として発揮させることができる。
【００３５】
さらに、本実施形態のＬ型擁壁１では、底板１２の上面１２ａを縦壁１１に対して鈍角をなすように傾斜させて形成しているため、従来の鈍角Ｌ型擁壁と同様の利点を備えている。すなわち、底板１２の上面１２ａを縦壁１１に対して鈍角をなすように傾斜させることによって、従来の鈍角Ｌ型擁壁と同様に、底板反力Ｆ３の水平方向分力Ｆ４を滑動に対する抵抗力として利用することが可能となっている。また、縦壁１１が背面土４１および上載荷重による土圧Ｐを受ける高さＨ１と、土留め高さＨ２を略等しくすることが可能となっている。
【００３６】
図５は、Ｌ型擁壁ユニット２をより安定的に構成した例を示した図である。同図に示されるように、この例では、Ｌ型擁壁１の底板１２の先端近傍において土嚢３０を底板１２の上面１２ａよりも高い位置まで積み重ねている。このようにすることで、底板１２上の背面土４１の土圧の一部を積み上げた土嚢３０で受け（傾斜面である底板１２の上面１２ａ上を滑り落ちる土粒子を受け止める）、Ｌ型擁壁１の安定性をさらに高めることが可能となる。
【００３７】
具体的には、底板１２上の土粒子は、上面１２ａの傾斜に沿って同図の矢印Ａが示す方向に滑りを起こすが、積み上げた土嚢３０によってこの滑りが制限され、土粒子は同図に示す領域５０内に拘束されることとなる。ここで、領域５０の上面５１は、背面土４１の内部摩擦角に基づく角度で傾斜した傾斜面となる。そして、この領域５０内の土粒子は、上方の背面土４１および上載荷重による土圧が付加応力として作用することにより、粒子間摩擦が発生して固化する。すなわち、土粒子が押し固められて固化した領域（固化領域）５０が、底板１２上に生成される。すると、背面土４１は、領域５０の上面５１に沿って同図の矢印Ｂが示す方向に滑りを起こすこととなる。
【００３８】
これにより、同図に示されるように、縦壁１１が背面土４１および上載荷重による土圧Ｐを受ける高さＨ１が、土留め高さＨ２よりも小さい範囲となるため、Ｌ型擁壁１の縦壁１１に加わる土圧が軽減されることとなる。また、領域５０の上面５１は、縦壁１１に対して鈍角をなすように傾斜しているため、この場合にも底板反力Ｆ３の水平方向分力Ｆ４を滑動に対する抵抗力として利用することが可能となる。
【００３９】
このように、本実施形態によれば、簡易な方法でＬ型擁壁１の滑動および転倒に対する安定性をさらに高めることができる。また、例えば地震等により過大な荷重がＬ型擁壁１に加わったような場合にも、この荷重を領域５０によって適度に分散し、且つ縦壁１１が受ける土圧Ｐを軽減することができるため、従来の鈍角Ｌ型擁壁以上の安定性を備えることが可能となっている。
【００４０】
図６は、別部材を固定することによりＬ型擁壁１を構成するようにした例を示した図である。Ｌ型擁壁１は、同図に示されるように、縦壁１１に対して鈍角をなすように傾斜して形成された底板１２下側の取付面１２ｃに略楔形状の固定部材１３を固定することによって、底板１２の下面１２ｂが階段状に形成されるものであってもよい。この場合、取付面１２ｃに対する固定部材１３の固定方法は、ボルトや係合、接着等の既存の固定方法を採用することができる。
【００４１】
このように、Ｌ型擁壁１を複数の部材に分割し、組立構造にすることで、Ｌ型擁壁１の製造や運搬を容易にすることができる場合がある。また、例えば既存の鈍角Ｌ型擁壁を活用して、本考案のＬ型擁壁１を構成することができる。なお、この場合の取付面１２ｃは、全ての面が縦壁１１に対して鈍角をなすように傾斜した面である必要はなく、同図に示されるように、例えば縦壁１１と直交する面等の異なる角度の面が含まれていてもよい。また、取付面１２ｃに固定部材１３を固定するための突起等が設けられていてもよい。
【００４２】
以上説明したように、本実施形態に係るＬ型擁壁１は、垂直方向に設置される縦壁１１と、縦壁１１の下端部を基端として横方向に延設される底板１２と、からなるＬ型擁壁であって、底板１２の上面１２ａは、縦壁１１に対して鈍角をなすように傾斜して形成され、底板１２の下面１２ｂは、複数の水平面１２ｂ１、１２ｂ２を上面１２ａに沿って高さを変えて配置した階段状に形成されている。
【００４３】
このような構成とすることで、従来の鈍角Ｌ型擁壁と同様の利点を備えながらも、施工時の作業性を向上させることができる。また、水平面１２ｂ１、１２ｂ２を有することで、土嚢上にも問題なく設置することができるため、軟弱地盤を補強するための工法として近年注目されている土嚢工法と組み合わせることで、軟弱地盤上であっても容易にＬ型擁壁１を設置することができる。
【００４４】
なお、本実施形態では、底板１２の下面１２ｂを、第１水平面１２ｂ１、第２水平面１２ｂ２および段部１２ｂ３を備える２段の階段状に形成した例を示したが、本考案はこれに限定されるものではなく、下面１２ｂを３段以上の階段状に構成するようにしてもよい。また、本実施形態では、土嚢３０上にＬ型擁壁１を設置する例を示したが、本考案はこれに限定されるものではなく、コンクリートの打設等による一般的な基礎上にＬ型擁壁１を設置するようにしてもよい。
【００４５】
また、底板１２の上面１２ａは、縦壁１１に対して９５乃至１１５度の角度をなすように形成されているため、従来の鈍角Ｌ型擁壁と同様の効果を確実に発揮させることができる。
【００４６】
また、底板１２の下面１２ｂは、底板１２の基端側に設けられる第１水平面１２ｂ１と、底板１２の先端側において第１水平面１２ｂ１よりも低い位置に設けられる第２水平面１２ｂ２と、を有して構成されている。すなわち、本考案では、比較的簡易な構成で上述の効果を発揮することが可能であり、Ｌ型擁壁１の製造コストを低減させることができる。
【００４７】
また、底板１２の下面１２ｂは、縦壁１１に対して鈍角をなすように傾斜して形成された取付面１２ｃに略楔形状の固定部材１３を固定することにより、階段状に形成されるようにしてもよい。この場合、Ｌ型擁壁１の製造や運搬を容易にすることができる場合がある。また、既存の鈍角Ｌ型擁壁を活用して本考案のＬ型擁壁１を構成することができる。
【００４８】
また、本実施形態に係るＬ型擁壁ユニット２は、Ｌ型擁壁１と、Ｌ型擁壁１が有する底板１２の下面１２ｂの形状に合わせて地盤４０側に敷設される複数の土嚢３０からなる基礎部３と、を有している。このような構成とすることで、地盤４０の状態によらず、容易に基礎部３を構築してＬ型擁壁１を設置することができる。すなわち、従来の工法と比較してはるかに迅速且つ低コストで軟弱地盤上に土留めの擁壁を設置することができる。
【００４９】
また、基礎部３は、底板１２の複数の水平面１２ｂ１、１２ｂ２の間の段部１２ｂ３に一部の土嚢３０の側面３０ａが対向するように階段状に構成されている。このため、正面土４２の状態によらず、段部１２ｂ３と土嚢３０の側面３０ａとにより滑動に対する抵抗力を安定的に発揮させ、Ｌ型擁壁１の安定性を従来の鈍角Ｌ型擁壁以上に高めることができる。
【００５０】
また、土嚢３０は、底板１２の先端近傍において底板１２の上面１２ａよりも高い位置まで積み重ねられるようにしてもよい。この場合、底板１２上の背面土４１を活用してＬ型擁壁１の安定性をさらに高めることができる。
【００５１】
また、土嚢３０は、直方体状の土嚢袋３１と、土嚢袋３１の内部に収容される矩形状のガイド枠３２と、隣接するガイド枠３２同士を接続する接続部材３３と、を備え、基礎部３は、隣接する土嚢３０同士が接続部材３３により互いに接続された状態で格子状に配列された複数の土嚢３０を、複数段積み重ねて構成されている。
【００５２】
このような構成とすることで、地盤４０の状態によらず、土嚢３０の敷設をきわめて容易にすることができる。また、土嚢３０を適切な間隔で配置すると共に各土嚢３０を連結することができるため、基礎部３に十分な強度を持たせ、地盤４０を確実に補強することができる。
【００５３】
以上、本考案の実施の形態について説明したが、本考案のＬ型擁壁およびＬ型擁壁ユニットは、上記した実施の形態に限定されるものではなく、本考案の要旨を逸脱しない範囲内において種々変更を加え得ることは勿論である。
【産業上の利用可能性】
【００５４】
本考案のＬ型擁壁およびＬ型擁壁ユニットは、土地の造成以外にも各種土木工事の分野で利用することができる。
【符号の説明】
【００５５】
１  Ｌ型擁壁
２  Ｌ型擁壁ユニット
３  基礎部
１１  縦壁
１２  底板
１２ａ  底板の上面
１２ｂ  底板の下面
１２ｂ１  第１水平面
１２ｂ２  第２水平面
１２ｂ３  段部
１２ｃ  取付面
１３  固定部材
３０  土嚢
３０ａ  土嚢の側面
３１  土嚢袋
３２  ガイド枠
３３  接続部材
４０  地盤
【図１】
0003159235.tif 000003
【図２】
0003159235.tif 000004
【図３】
0003159235.tif 000005
【図４】
0003159235.tif 000006
【図５】
0003159235.tif 000007
【図６】
0003159235.tif 000008